(57)【要約】【課題】  正規の貨幣、または金券がリジェクトクトされ、釣り銭処理等が煩わしくならない貨幣処理装置を提供する。【解決手段】  硬貨入金口４に投入された硬貨の金種を選別する金種別選別穴１１ａ〜１１ｆと、選別された硬貨を各金種別に収納する金種別収納庫６ａ〜６ｆと、投入された硬貨を強制的にリジェクト部２０へ収納させる強制リジェクトモード設定手段を備え、強制リジェクトモード設定手段による設定がなされ、当該設定により、入金口４に投入された貨幣をリジェクト部へ収納させるようにした。【選択図】        図２
2005275586.tif 000002
【特許請求の範囲】
【請求項１】
入金口に投入された貨幣の金種を選別する金種選別手段と、選別された前記貨幣を各金種別に収納する金種別収納庫とを備えた貨幣処理装置において、
前記入金口に投入された貨幣を強制的にリジェクト部へ収納させるための強制リジェクトモード設定手段を備え、
前記強制リジェクトモード設定手段による設定がなされ、当該設定により、前記入金口に投入された貨幣を全て前記リジェクト部へ収納させるようにしたことを特徴とする貨幣処理装置。
【請求項２】
入金口に投入された貨幣の金種を選別する金種選別手段と、選別された前記貨幣を各金種別に収納する金種別収納庫とを備えた貨幣処理装置において、
再利用不適な貨幣が投入され、リジェクト部に収納させる収納口を備えたことを特徴とする貨幣処理装置。
【請求項３】
金種別収納庫に収納された貨幣と、リジェクト部へ収納された貨幣のそれぞれの合計金額が、入金されるべき金額と一致するとき、入金を成立させることを特徴とする請求項１または請求項２記載の貨幣処理装置。
【請求項４】
入金口に投入された貨幣の金種を選別する金種選別手段と、選別された前記貨幣を各金種別に収納する金種別収納庫とを備えた貨幣処理装置において、
投入された前記貨幣の真偽を判別する認識部を備え、
前記認識部は、前記貨幣の真偽の判定レベルの切換えを行うレベル設定手段を備え、
、前記レベル設定手段は、前記認識部により前記貨幣がリジェクトされた貨幣が店員により正規であると判断されたときに前記判定レベルが低く設定されることを特徴とする貨幣処理装置。
【発明の詳細な説明】
【技術分野】
【０００１】
この発明は、スーパーマーケット、コンビニエンスストア等の店舗のレジにて使用されるＰＯＳレジスタに接続して使用する自動釣銭機における貨幣処理装置に関するものである。
【背景技術】
【０００２】
従来の貨幣処理装置の紙幣入金機は、紙幣搬送路により搬送される紙幣の金種、真偽、二重搬送などを鑑別する入金鑑別部、リジェクト口、収納スタッカ等を備え、硬貨入出金機は、入金搬送路の上流に設けられ、硬貨の真偽、金種等を鑑別する入金鑑別部と、リジェクトゲートと、入金搬送路を通じて搬送された入金硬貨を金種別に選別する選別通路と、金種別に分類された入金硬貨を貯留する貯留部を備え、操作部の強制入金キーを操作することにより、リジェクトされた貨幣の中で、例えば、汚損が激しく、真であるにもかかわらずリジェクトされてしまった汚損貨幣を収納させることが可能となっている（例えば、特許文献１参照）。
【０００３】
【特許文献１】特許第２９４２１３６号公報（段落００１３〜００２９、００３８〜００４４、図５〜１３）
【発明の開示】
【発明が解決しようとする課題】
【０００４】
従来の貨幣処理装置では、貨幣の真偽、金種等の鑑別を行う入金鑑別部が必要であった。また、正規の貨幣以外のものを排除するため、正貨判定範囲をある範囲に限定しているので、正規の貨幣であっても、正貨判定範囲から外れリジェクト判定してしまう場合があるという問題があった。
また、例えば、旧５円（穴なし）等の旧貨も、正貨判定範囲から外れリジェクト判定されるが、お釣りとしての利用は好ましくないので、店員の対応となりわずらわしいという問題があった。
また、スーパーやコンビニ等では金券による支払いがあり、また、硬貨においても旧５円等の旧貨は、お釣りとして利用できないので、機器に投入するとリジェクト判定となり返却やリジェクトとなるので店員対応となりわずらわしいという問題があった。
【０００５】
この発明は、上記のような課題を解決するためになされたもので、正規の貨幣、または金券がリジェクトクトされ、釣り銭処理等が煩わしくならない貨幣処理装置を提供することを目的とする。
【課題を解決するための手段】
【０００６】
この発明に係る貨幣処理装置は、入金口に投入された貨幣の金種を選別する金種選別手段と、選別された前記貨幣を各金種別に収納する金種別収納庫とを備えた貨幣処理装置において、前記入金口に投入された貨幣を強制的にリジェクト部へ収納させるための強制リジェクトモード設定手段を備え、前記強制リジェクトモード設定手段による設定がなされ、当該設定により、前記入金口に投入された貨幣を全て前記リジェクト部へ収納させるようにしたものである。
【発明の効果】
【０００７】
この発明は、投入された貨幣を強制的にリジェクト部へ収納させる強制リジェクトモード設定手段を備え、店員が顧客から預かった貨幣を正規のものかどうか判断し、正規の貨幣をそのまま前記入金口に投入し、正規でない貨幣を前記強制リジェクトモード設定手段により強制リジェクトモードとし、前記入金口に投入して前記リジェクト部へ収納させるので、認識部を搭載しないという簡単な構成でありながら、正規でない貨幣、または汚れた貨幣等、金種別収納庫へ収納させるべきではない貨幣を、正規の貨幣とは正しく分離して収納することができ、釣り銭処理等が煩わしくないようにすることができ、さらに、安価なものとすることができる。
【発明を実施するための最良の形態】
【０００８】
図１はこの発明の実施の形態１を示すＰＯＳレジスタに搭載された貨幣処理装置の斜視図、図２は貨幣処理装置の硬貨レジ釣銭機の平面図、図３は図２の側面図、図４は硬貨出金処理のフローチャート、図５は硬貨出金処理の表示説明図、図６は硬貨入金処理のフローチャート、図７、図８は硬貨入金処理の表示説明図である。
【０００９】
図１において、貨幣処理装置は硬貨レジ釣銭機１と紙幣レジ釣銭機２から構成され、ＰＯＳレジスタ３に搭載される。硬貨レジ釣銭機１は、顧客から受け取った硬貨を投入する硬貨入金口４、顧客へ釣銭として支払う硬貨を払い出す出金口８、受け入れ不能と判別された硬貨を収納するリジェクト部２０を設けられている。紙幣レジ釣銭機２は、顧客から受け取った紙幣を入金したり、顧客へ釣銭として支払う紙幣を払い出す紙幣入出金口１２、紙幣レジ釣銭機内に収納されている紙幣を回収し、収納する回収カセット部１４が設けられている。ＰＯＳレジスタ３には、硬貨レジ釣銭機１と紙幣レジ釣銭機２内の硬貨や紙幣を回収したり、また補充したりする際に、店員により回収指示や補充指示を入力するためのキーなどの操作パネル１３と、店員が入力した内容や、装置の情報を表示するための表示部３１とタッチパネル３２が設けられている。また、図示してないが音声でガイダンスする音声ガイダンス部が設けられている。
【００１０】
図２、図３において、硬貨レジ釣銭機１は、顧客から受け取った入金硬貨を入金する硬貨入金口４と、入金硬貨を搬送し金種を選別する搬送路５と、入金された硬貨を金種別に収納、出金する金種別収納庫６ａ〜６ｆと、金種別収納庫から出金された硬貨を搬送する出金搬送部７と、出金硬貨を放出する出金口８により構成されている。
搬送路５の搬送面１０には金種別選別穴が形成されており、各金種の硬貨の外径よりわずかに大きい幅の穴で、硬貨の搬送方向に対して、硬貨の外径の小さい順に１円選別穴１１ａ、５０円選別穴１１ｂ、５円選別穴１１ｃ、１００円選別穴１１ｄ、１０円選別穴１１ｅ、５００円選別穴１１ｆの順に並んで設けられている。穴１５は１円選別穴１１ｄと、硬貨入金口４間に設けられたリジェクト用の穴であり、図示せぬ手段により遮断可能に構成されている。
なお、硬貨の外形や材質により、硬貨の金種識別を行い、正規なものと正規でないのを判別す認識部を搭載していない。
【００１１】
次に、硬貨レジ釣銭機１の動作を説明する。
まず、硬貨出金の動作を図４により説明する。顧客が購入した商品金額と、顧客から預かった代金の金額をそれぞれＰＯＳレジスタ３に入力し（ステップＳ１）、預かった代金金額と商品金額を比較して（ステップＳ２）、差額がある場合は、その差額分の硬貨をレジ釣銭機から支払うよう指示が出される（ステップＳ３）。次に、出金搬送路７に設けられ、硬貨を載せて搬送する図示しない無端搬送ベルトを出金方向に回転駆動し（ステップＳ４）、各金種別収納庫６ａ〜６ｆから図示しない繰出し機構にて、指示された該当金種及び枚数を繰出し（ステップＳ５）、繰出された硬貨は、出金搬送路７の搬送ベルトにより、出金口８へ排出され（ステップＳ６）、指示された該当金種及び枚数の繰出しが完了する（ステップＳ７）。次に、搬送路内の硬貨が出金口８に排出されるまでの一定時間経過後に搬送ベルトの揺動動作を行う（ステップＳ８）。そして、店員により出金口８の硬貨が取り出され（ステップＳ９）、出金処理が終了する。
【００１２】
ここで、表示部３１を図５により説明する。図５（ａ）は表示部３１はタッチパネルからなり、「顧客の買上金額」、「預り金額」、「お釣り」の表示部があり、操作表示は、テンキー、カード支払い用の「カード」、後述の強制リジェクトの「強制ＲＪ」、テンキーの「訂正」、「確認」があり、２万円預かりのときは「２」「万」「確認」キーを押す。
また、図５（ｂ）はテンキーで硬貨預かりの入力例を示し、金種を指定することなく合計金額３０、８６１円を入力すると、３万円は紙幣レジ釣銭機２へ、８６１円は硬貨レジ釣銭機１へ投入することを表示する。
【００１３】
次に、硬貨入金処理について図６により説明する。
上述の出金処理で、店員が顧客から預かった代金の内、硬貨について、正規の硬貨以外のもの、例えばメダル類、外貨、または、汚損が激しい硬貨、または、再利用不適な硬貨で、正規でも釣銭として入金させることが好ましくないもの等有るかどうか目視で判断する（ステップＳ１１）。正規でない硬貨がなければ、硬貨入金口４に投入する（ステップＳ１２）。正規でないものがあった場合は、正規なものと、正規でないものを選別し（ステップＳ２１）、正規なものおよび汚れのないものは（ステップＳ２２）、硬貨入金口４に投入する（ステップＳ１２）。硬貨入金口４に投入された硬貨は硬貨入金口４に設けられた図示しない検知手段により、硬貨の投入を検知し（Ｓ１３）、搬送路５に設けられた無端搬送ベルトが駆動され（ステップＳ１４）、また、硬貨入金口４の底部に設けられている図示しない回転円盤が駆動し搬送路５内に送り込まれる（ステップＳ１５）。
【００１４】
強制リジェクトモードの設定操作がなければ（ステップＳ１６）、リジェクト用の穴１５は遮蔽されたままであり、そのまま進み、搬送路５に設けられた選別穴１１ａ〜１１ｆにより、入金された硬貨の外形に適応して落下し（ステップＳ１７）、各金種別収納庫６ａ〜６ｆに収納される（ステップＳ１８）。硬貨入金口４内の硬貨の繰出しが終了し、空になる（ステップＳ１９）と、投入された金額が表示され（ステップＳ２０）、入金処理を終了する。
【００１５】
一方、ステップＳ２１で、硬貨が正規でも釣銭として好ましくないものを、店員がＰＯＳレジスタの操作パネルで「強制リジェクト」キーを押して強制リジェクトモードとして（ステップＳ２４）から、硬貨入金口４に投入する（ステップＳ１２）。硬貨入金口４に投入された硬貨は投入が検知され（Ｓ１３）、搬送路５の無端搬送ベルトが駆動され（ステップＳ１４）、回転円盤が駆動し搬送路５内に送り込まれる（ステップＳ１５）。強制リジェクトモードの設定操作がされているので（テップＳ１６）店員は金種と枚数を入力する（詳細は後述する）リジェクト用の穴１５が開き、リジェクト部２０に収納され（ステップＳ２５）、収納された硬貨は、図示しない検出手段で枚数が計数され、先に入金処理された正規の硬貨と不足分として入力した硬貨の総枚数が一致していれば、「終了」が表示され（ステップＳ２０）、入金処理を終了する。なお、不足分があれば入金処理が終了しない。
【００１６】
次に、店員の入金処理と操作パネル１３の表示について図７により説明する。
例えば、硬貨入金される金額として８６１円を顧客が５００円×１、１００円×３、１０円×６、１円×１ケで支払った場合、それらの硬貨は店員が正規のものであり“真”であるが、１０円×１ケと１円×１ケは変色および傷があり金銭としての支払いには不向きで強制リジェクト分と判断した場合は、店員が図７（ａ）に示すように、操作パネル１３の入金額を金種別に各数量キーを触指入力する。
【００１７】
例えば、５００円は１、１００円は３のキーを触指入力する。そして、５００円×１、１００円×３、１０円×５を正規の硬貨として、強制リジェクトモードにせず硬貨入金口４に投入すると、入金処理が行われ、５００円は５００円選別穴１１ｆから金種別収納庫６ｆに、１００円は１１ｄから金種別収納庫６ｄに、１０円は１１ｅから金種別収納庫６ｅに収納される。
すると、表示画面が図７（ｂ）のようになり、強制リジェクト分が不足分１１円と表示され、さらに１０円×１、１円×１ケが表示される。
なお、０円×１ボタンが押されたとき、５円表示を消してもよい。
また、図７（ｂ）の「追加投入」キーを押すと、以後、投入された硬貨は通常の入金処理がされる。
【００１８】
次に、強制リジェクト分の１０円と１円は、「強制ＲＪ」キーを押して強制リジェクトモードにして、硬貨入金口４に投入すると、搬送路５のリジェクト用の穴１５が開き、リジェクト部２０に収納される。このとき、１０円と１円が１０円×１、１円×１ケと判断され、入金額一致と判定され入金処理が終了する。
【００１９】
以上のように、正規でない硬貨、旧貨幣、または汚れた硬貨等、金種別収納庫へ収納させるべきではない貨幣を、正規の硬貨とは正しく分離して収納することができ、釣り銭処理等が煩わしくないようにすることができる。
さらに、認識部を搭載しないという簡単な構成であるため安価なものとすることができる。
【００２０】
なお、本実施の形態では、入金処理で、不足分があったとき、図７（ｂ）のように強制リジェクトの表示になるものを示したが、図８に示すように入金額の入力画面で、最初からリジェクト扱いの入力を行ってもよい。この場合は、例えば、正規の硬貨について、５００×「１」、１００×「３」、１０×「５」の各キーを押して、「正規入金」キーを押す。続けて、１０×「１」、１×「１」キーを押して、「強制リジェクト」キーを押す。そして、合計金額が一致すると、まず、“正規入金硬貨を投入して下さい”と音声ガイダンス部からガイダンスされ、それらを取込み、計数後、“続けて、強制リジェクト分の硬貨を投入して下さい”とガイダンスされ、店員はリジェクト硬貨を取込み、数量チェックのみで入金額の一致を判定する。
【００２１】
実施の形態２．
実施の形態１では、強制リジェクトモード設定により、投入された硬貨をリジェクト機構によりリジェクト部へ収納する例を記載したが、本実施の形態は正規でも釣銭として好ましくない硬貨を直接、投入するリジェクト口を設けたものである。
【００２２】
図９はこの発明の実施の形態２を示すＰＯＳレジスタに搭載された貨幣処理装置の斜視図、図１０は貨幣処理装置の硬貨レジ釣銭機の平面図、図１１は硬貨入金処理のフローチャートである。
【００２３】
図９は実施の形態１の図１において、リジェクト用の穴１５はなく、正規でない硬貨を直接、手収納し、蓋２２を有し手によりリジェクトする収納口２１を設けたものであり、リジェクト部２０に連通している。他の構成は図１と同じであり説明を省略する。
【００２４】
次に、この構成における、図１０、図１１により、硬貨入金処理について説明する。
店員が顧客から預かった代金の内、硬貨について、正規の硬貨以外のもの、例えばメダル類、外貨、または、汚損が激しい硬貨等有るかどうか目視で判断する（ステップＳ３１）。正規でない硬貨がなければ、硬貨入金口４に投入する（ステップＳ３２）。正規でないものがあった場合は、正規なものと、正規でないものを選別し（ステップＳ４０）、正規なものおよび汚れのないものは（ステップＳ４１）、硬貨入金口４に投入する（ステップＳ３２）。硬貨入金口４に投入された硬貨は図示しない検知手段により、硬貨の投入を検知し（Ｓ３３）、搬送路５に設けられた無端搬送ベルトが駆動され（ステップＳ３４）、また、硬貨入金口４の底部に設けられている図示しない回転円盤が駆動し搬送路５内に送り込まれる（ステップＳ３５）。
【００２５】
次に、搬送路５に設けられた選別穴１１ａ〜１１ｆにより、入金された硬貨の外形に適応した選別穴から落下し（ステップＳ３６）、各金種別収納庫６ａ〜６ｆに収納される（ステップＳ３７）。硬貨入金口４内の硬貨の繰出しが終了し、空になる（ステップＳ３８）と、投入された金額が表示され（ステップＳ３９）、入金処理を終了する。
【００２６】
一方、ステップＳ４０で、硬貨が正規でも釣銭として好ましくないもの（ステップＳ４２）は、収納口２１の蓋２２を開いて投入する（ステップＳ４３）。投入された釣銭として好ましくない硬貨は、リジェクト部２０に収納され、収納された硬貨は、図示しない検出手段で投入検知され、先に入金処理された正規の硬貨の合計と投入有り情報が加わり、「終了」が表示され（ステップＳ３９）、入金処理を終了する。なお、不足分があっても収納口２１よりの投入情報があれば入金処理が終了する。
なお、収納口２１の蓋２２の開閉チェックを行うことによりリジェクトされた硬貨が投入されたことが検出されることでもよい。
【００２７】
以上のように、認識部を搭載せず、また、強制リジェクトモードにする必要がなく、タッチパネル３２の「強制リジェクト」キーも不要な簡単な構成でありながら、正規でない硬貨、旧貨幣、または汚れた硬貨等、金種別収納庫へ収納させるべきではない貨幣を、正規の硬貨とは正しく分離して収納することができ、釣り銭処理等が煩わしくないようにすることができ、さらに、安価なものとすることができる。
【００２８】
なお、本実施の形態では、収納口２１の蓋２２の開閉チェックでリジェクトされた硬貨のチエックを行ったが、リジェクト部２０の硬貨量（重量）を監視して投入有無チェックをしてもよい。
【００２９】
また、実施の形態１、２では、硬貨レジ釣銭機１について、説明したが、紙幣レジ釣銭機２も、同様な構成として、正規でない紙幣、旧紙幣、または汚れた紙幣、金券（ギフト券、図書券等）も、正規の紙幣とは正しく分離して収納することができ、釣り銭処理等が煩わしくないようにすることができる。このとき、紙幣レジ釣銭機２も真偽の判別をする認識部は有せず、金種を選別する金種選別手段を備えたものとする。
【００３０】
実施の形態３． 
実施の形態１では、認識部を有しないで、強制リジェクトモード設定により、投入された硬貨をリジェクト機構によりリジェクト部へ収納する例を記載したが、本実施の形態は認識部を有するものである。
図１２はこの発明の実施の形態３を示すＰＯＳレジスタに搭載された貨幣処理装置の硬貨レジ釣銭機の平面図、図１３は図１２の側面図、図１４は硬貨入金処理のフローチャートである。
【００３１】
図１２、図１３において、硬貨レジ釣銭機１内部の入金硬貨を搬送し金種を選別する搬送路５の入り口には、外径、穴の有無、材質を検出することにより、硬貨の金種を判別する認識部９が設けられている。他の構成は実施の形態１の図１と同じなので説明を省略する。
従来の硬貨レジ釣銭機は、通常は、正規の硬貨以外のものを排除するため、外径と材質それぞれにおいて正貨判定範囲をある範囲に限定している。
そのため、硬貨の変形、摩耗、汚れなどにより、外径や材質の検出値が正規の硬貨であっても、正貨判定範囲から外れ、リジェクト判定してしまう場合があるので、認識部９は判別レベルの切換えを行えるレベル設定機能を備えている。
【００３２】
この構成において、リジェクトされた硬貨を、店員が見て正規の硬貨と判断した場合は、認識部９の正貨判定範囲を広げる方向にレベル切換えを行い、硬貨を再投入することにより当該硬貨を正貨として判別させることができる。
次に、この発明の硬貨レジ釣銭機１の硬貨入金処理を、図１４により説明する。
【００３３】
まず、認識部９の判定レベルを通常の標準レベルに設定し（ステップＳ７１）。店員が顧客から預かった硬貨を硬貨入金口４に投入する（ステップＳ７２）。硬貨入金口４に投入された硬貨は検知手段により、硬貨の投入が検知され（Ｓ７３）、搬送路５に設けられた無端搬送ベルトが駆動され（ステップＳ７４）、また、硬貨入金口４の底部に設けられている回転円盤が駆動し搬送路５内に送り込まれ（ステップＳ７５）、認識部９で、硬貨の外形や材質により、硬貨の金種及び正規な硬貨かどうか識別を行う（ステップＳ７６）。正規な硬貨のときは、リジェクト用の穴１５は遮蔽されたままであり、そのまま進み、搬送路５に設けられた選別穴１１ａ〜１１ｆにより、入金された硬貨の外形に適応した選別穴から落下し（ステップＳ７７）、各金種別収納庫６ａ〜６ｆに収納される（ステップＳ７８）。
【００３４】
ステップＳ７６で識別できない硬貨や正規でない硬貨は、図示しないリジェクト機構により、搬送路５に設けられたリジェクト用の穴１５から、リジェクト部２０内に収納される（ステップＳ８２）。次に、硬貨入金口４内の硬貨の繰出しが終了し、空になる（ステップＳ７９）と、投入された金額が表示され（ステップＳ８０）、入金不足があるかどうかチックし（ステップＳ８１）、不足がなければ入金処理を終了する。
【００３５】
ステップＳ８１で入金不足があるときは、リジェクト部２０に収納された硬貨を取り出して店員が使用可能かどうか判定をし（ステップＳ８３）、使用可能なら認識部９の判定レベルを標準より広く設定して（ステップＳ８４）、硬貨入金口４に再投入して（ステップＳ７２）、再度入金処理をする。
【００３６】
以上のように構成することにより、通常はリジェクトしてしまう硬貨でも、正規の硬貨であると店員が判断することを条件として、正貨として判別できるようになり、レジに入力された預り金の金額と、釣銭機に入金計数された預り金の金額との差異の要因を少なくすることができ、金額の突き合わせが容易にすることができる。
【００３７】
なお、本実施の形態、硬貨レジ釣銭機１について、説明したが、紙幣レジ釣銭機２も、同様な構成として、正規でない紙幣、旧紙幣、または汚れた紙幣、金券（ギフト券、図書券等）も、正規の紙幣とは正しく分離して収納することができ、釣り銭処理等が煩わしくないようにすることができる
【図面の簡単な説明】
【００３８】
【図１】この発明の実施の形態１を示すＰＯＳレジスタに搭載された貨幣処理装置の斜視図である。
【図２】この発明の実施の形態１を示す貨幣処理装置の硬貨レジ釣銭機の平面図である。
【図３】図２の断面図である。
【図４】この発明の実施の形態１を示す貨幣処理装置の硬貨レジ釣銭機の硬貨出金処理のフローチャートである。
【図５】この発明の実施の形態１を示す貨幣処理装置の表示説明図である。
【図６】この発明の実施の形態１を示す貨幣処理装置の硬貨レジ釣銭機の入金処理のフローチャートである。
【図７】この発明の実施の形態１を示す貨幣処理装置の硬貨レジ釣銭機の表示説明図である。
【図８】この発明の実施の形態１を示す貨幣処理装置の硬貨レジ釣銭機の表示説明図である。
【図９】この発明の実施の形態２を示すＰＯＳレジスタに搭載された貨幣処理装置の斜視図である。
【図１０】この発明の実施の形態２を示す貨幣処理装置の硬貨レジ釣銭機の平面図である。
【図１１】この発明の実施の形態２を示す貨幣処理装置の硬貨レジ釣銭機の硬貨出金処理のフローチャートである。
【図１２】この発明の実施の形態１を示す貨幣処理装置の硬貨レジ釣銭機の平面図である。
【図１３】図１２の側面図である。
【図１４】この発明の実施の形態４を示す貨幣処理装置の硬貨レジ釣銭機の硬貨入金処理のフローチャートである。
【符号の説明】
【００３９】
１  硬貨レジ釣銭機、４  硬貨入金口、６ａ〜６ｆ  金種別収納庫、９  認識部、１１ａ〜１１ｆ  金種別選別穴、２０  リジェクト部、２１  収納口。
【図１】
2005275586.tif 000003
【図２】
2005275586.tif 000004
【図３】
2005275586.tif 000005
【図４】
2005275586.tif 000006
【図５】
2005275586.tif 000007
【図６】
2005275586.tif 000008
【図７】
2005275586.tif 000009
【図８】
2005275586.tif 000010
【図９】
2005275586.tif 000011
【図１０】
2005275586.tif 000012
【図１１】
2005275586.tif 000013
【図１２】
2005275586.tif 000014
【図１３】
2005275586.tif 000015
【図１４】
2005275586.tif 000016